(57)【要約】  手軽に個人で装着でき、痛みを伴わない、変形爪の巻き爪矯正用具を提供するために、巻き爪矯正用具１０は、波形に屈折された線状弾性材からなり、自由状態で、その波形が平面若しくは接触する爪甲に沿う曲面よりも平らな曲面内にあるようにされている中央部１２と、この中央部１２の両端を係止部に介し、爪に表裏から接触するようにされたＵ字形状部１４と、爪の幅方向両側部及び先端部の少なくとも一方に裏面から係止するための係止部１６とを有し、線状弾性材は超弾性合金により形成するようにされ、係止部１６は線状弾性材の端面を爪の裏面に接触させて係止するようにされている。
2010101238.tif 000002
【特許請求の範囲】
【請求項１】
爪甲に接触可能な中央部と、この中央部に接続され、爪の幅方向側部及び先端部の少なくとも一方に爪の裏面から係止するための係止部とを有する巻き爪矯正用具であって、
前記中央部は線状弾性材からなり、その少なくとも一方の端部は、Ｕ字形状部を介して前記係止部に接続され、
前記係止部は、前記線状弾性材の端部の少なくとも一部を爪の裏面に接触させて係止するようにされていることを特徴とする巻き爪矯正用具。
【請求項２】
爪甲に接触可能な中央部と、この中央部に接続され、爪の幅方向側部及び先端部の少なくとも一方に爪の裏面から係止するための係止部とを有する巻き爪矯正用具であって、
前記中央部は線状弾性材からなり、その少なくとも一方の端部は、Ｕ字形状部を介して前記係止部に接続され、
前記係止部は、円弧状に屈曲された前記線状弾性材からなり、前記中央部が前記爪甲に接触した際に、爪の裏面に接触するようにされていることを特徴とする巻き爪矯正用具。
【請求項３】
爪甲に接触可能な中央部と、この中央部に接続され、爪の幅方向側部及び先端部のいずれかに爪の裏面から係止するための係止部と、爪甲に接着可能な接着部とを有する巻き爪矯正用具であって、
前記中央部は一方の端部を前記接着部により内包して固定された線状弾性材からなり、もう一方の端部は、Ｕ字形状部を介して前記係止部に接続され、
前記係止部は、前記線状弾性材の端面を爪の裏面に接触させて係止するようにされていることを特徴とする巻き爪矯正用具。
【請求項４】
爪甲に接触可能な中央部と、この中央部に接続され、爪の幅方向側部及び先端部のいずれかに爪の表面から係止するための係止部と、爪甲に接着可能な接着部とを有する巻き爪矯正用具であって、
前記中央部は一方の端部を前記接着部により内包して固定された線状弾性材からなり、もう一方の端部は、Ｕ字形状部を介して前記係止部に接続され、
前記係止部は、円弧状に屈曲された前記線状弾性材からなり、前記中央部が前記爪甲に接触した際に、爪の裏面に接触するようにされていることを特徴とする巻き爪矯正用具。
【請求項５】
爪甲に接触可能な中央部と、爪甲に接着可能な接着部とを有する巻き爪矯正用具であって、
前記中央部は、両端部を前記接着部により内包して固定された線状弾性材からなり、
前記接着部は、爪甲に接着可能とされていることを特徴とする巻き爪矯正用具。
【請求項６】
請求項１乃至５のいずれかにおいて、
前記線状弾性材は、超弾性合金及び／又は超弾性樹脂により形成されてなることを特徴とする巻き爪矯正用具。
【請求項７】
請求項１乃至５のいずれかにおいて、
前記中央部は、前記爪の幅方向の長さの２倍以上の長さの前記線状弾性材からなることを特徴とする巻き爪矯正用具。
【請求項８】
請求項６において、
前記中央部は、前記爪の幅方向の長さの２倍以上の長さの前記線状弾性材からなることを特徴とする巻き爪矯正用具。
【請求項９】
請求項１乃至５のいずれかにおいて、
前記中央部は、平面又は曲面内で少なくとも一部を波形に屈折されていることを特徴とする巻き爪矯正用具。
【請求項１０】
請求項６において、
前記中央部は、平面又は曲面内で少なくとも一部を波形に屈折されていることを特徴とする巻き爪矯正用具。
【請求項１１】
請求項７において、
前記中央部は、平面又は曲面内で少なくとも一部を波形に屈折されていることを特徴とする巻き爪矯正用具。
【請求項１２】
請求項８において、
前記中央部は、平面又は曲面内で少なくとも一部を波形に屈折されていることを特徴とする巻き爪矯正用具。
【請求項１３】
請求項１乃至５のいずれかにおいて、
前記中央部は、少なくとも１つのループ形状を有することを特徴とする巻き爪矯正用具。
【請求項１４】
請求項６において、
前記中央部は、少なくとも１つのループ形状を有することを特徴とする巻き爪矯正用具。
【請求項１５】
請求項１乃至４のいずれかにおいて、
前記Ｕ字形状部は前記爪の先端部に表裏から接触するようにされていることを特徴とする巻き爪矯正用具。
【請求項１６】
請求項６において、
前記Ｕ字形状部は前記爪の先端部に表裏から接触するようにされていることを特徴とする巻き爪矯正用具。
【請求項１７】
請求項３乃至５のいずれかにおいて、
前記接着部は、熱可塑性樹脂から形成されることを特徴とする巻き爪矯正用具。
【請求項１８】
請求項６において、
前記接着部は、熱可塑性樹脂から形成されることを特徴とする巻き爪矯正用具。
【請求項１９】
請求項１乃至５のいずれかにおいて、
前記中央部は、少なくとも一部を弾性材料により内包されていることを特徴とする巻き爪矯正用具。
【請求項２０】
請求項６において、
前記中央部は、少なくとも一部を弾性材料により内包されていることを特徴とする巻き爪矯正用具。
【発明の詳細な説明】
【技術分野】
【０００１】
本発明は、変形爪や陥入爪の変形を矯正することのできる巻き爪矯正用具に関する。
【背景技術】
【０００２】
従来、巻き爪や陥入爪等の変形爪の変形を矯正するには、爪の先端に穴を空けてワイヤを通す方法や、爪の根本部分を切除して爪が生えないようにする方法があった。これらの方法は患者にとって負担が大きく、また、痛みを伴うものであった。【０００３】
上記のような医師によらなければできない方法に対して、手軽に個人でできる方法として、特許文献１のような巻き爪矯正具を装着する方法がある。
【先行技術文献】
【特許文献】
【０００４】
【特許文献１】実開平４−９９９１４号公報
【発明の概要】
【発明が解決しようとする課題】
【０００５】
しかしながら、特許文献１の巻き爪矯正具は、矯正する力も弱く、また、爪と爪床の間に棒状の端部が挿入されるため、痛みを伴うものであった。【０００６】
本発明は、上記問題に鑑みてなされたものであり、手軽に装着でき、さらに、痛みを伴わない、変形爪の巻き爪矯正用具に関する。
【課題を解決するための手段】
【０００７】
本発明者は、鋭意検討した結果、爪甲に接触し、平面又は曲面内で波形に屈折された線状弾性材からなる中央部と、この中央部の両端を係止部に介し、爪に表裏から接触するようにされたＵ字形状部と、爪の幅方向両側部及び先端部の少なくとも一方に裏面から係止するための係止部とを有する巻き爪矯正用具によって上記課題を解決できることを見出した。【０００８】
即ち、以下の実施例により上記課題を解決することができる。【０００９】
（１）爪甲に接触可能な中央部と、この中央部に接続され、爪の幅方向側部及び先端部の少なくとも一方に爪の裏面から係止するための係止部とを有する巻き爪矯正用具であって、前記中央部は線状弾性材からなり、その少なくとも一方の端部は、Ｕ字形状部を介して前記係止部に接続され、前記係止部は、前記線状弾性材の端部の少なくとも一部を爪の裏面に接触させて係止するようにされていることを特徴とする巻き爪矯正用具。【００１０】
（２）爪甲に接触可能な中央部と、この中央部に接続され、爪の幅方向側部及び先端部の少なくとも一方に爪の裏面から係止するための係止部とを有する巻き爪矯正用具であって、前記中央部は線状弾性材からなり、その少なくとも一方の端部は、Ｕ字形状部を介して前記係止部に接続され、前記係止部は、円弧状に屈曲された前記線状弾性材からなり、前記中央部が前記爪甲に接触した際に、爪の裏面に接触するようにされていることを特徴とする巻き爪矯正用具。【００１１】
（３）爪甲に接触可能な中央部と、この中央部に接続され、爪の幅方向側部及び先端部のいずれかに爪の裏面から係止するための係止部と、爪甲に接着可能な接着部とを有する巻き爪矯正用具であって、前記中央部は一方の端部を前記接着部により内包して固定された線状弾性材からなり、もう一方の端部は、Ｕ字形状部を介して前記係止部に接続され、前記係止部は、前記線状弾性材の端面を爪の裏面に接触させて係止するようにされていることを特徴とする巻き爪矯正用具。【００１２】
（４）爪甲に接触可能な中央部と、この中央部に接続され、爪の幅方向側部及び先端部のいずれかに爪の表面から係止するための係止部と、爪甲に接着可能な接着部とを有する巻き爪矯正用具であって、前記中央部は一方の端部を前記接着部により内包して固定された線状弾性材からなり、もう一方の端部は、Ｕ字形状部を介して前記係止部に接続され、前記係止部は、円弧状に屈曲された前記線状弾性材からなり、前記中央部が前記爪甲に接触した際に、爪の裏面に接触するようにされていることを特徴とする巻き爪矯正用具。【００１３】
（５）爪甲に接触可能な中央部と、爪甲に接着可能な接着部とを有する巻き爪矯正用具であって、前記中央部は、両端部を前記接着部により内包して固定された線状弾性材からなり、前記接着部は、爪甲に接着可能とされていることを特徴とする巻き爪矯正用具。【００１４】
（６）前記線状弾性材は、超弾性合金及び／又は超弾性樹脂により形成されてなることを特徴とする（１）乃至（５）のいずれかに記載の巻き爪矯正用具。【００１５】
（７）前記中央部は、前記爪の幅方向の長さの２倍以上の長さの前記線状弾性材からなることを特徴とする（１）乃至（６）のいずれかに記載の巻き爪矯正用具。【００１６】
（８）前記中央部は、平面又は曲面内で少なくとも一部を波形に屈折されていることを特徴とする（１）乃至（７）のいずれかに記載の巻き爪矯正用具。【００１７】
（９）前記中央部は、少なくとも１つのループ形状を有することを特徴とする（１）乃至（８）のいずれかに記載の巻き爪矯正用具。【００１８】
（１０）前記Ｕ字形状部は前記爪の先端部に表裏から接触するようにされていることを特徴とする（１）乃至（４）、（６）乃至（９）のいずれかに記載の巻き爪矯正用具。【００１９】
（１１）前記接着部は、熱可塑性樹脂から形成されることを特徴とする（３）乃至（１０）のいずれかに記載の巻き爪矯正用具。【００２０】
（１２）前記中央部は、少なくとも一部を弾性材料により内包されていることを特徴とする（１）乃至（１１）のいずれかに記載の巻き爪矯正用具。
【発明の効果】
【００２１】
本発明によれば、手軽に装着でき、かつ、痛みを伴わずに効果の高い巻き爪矯正用具を提供することができる。
【図面の簡単な説明】
【００２２】
【図１】本発明の実施例１に係る巻き爪矯正用具を示す平面図
【図２】本発明の実施例１に係る巻き爪矯正用具の部分拡大図
【図３】本発明の実施例１に係る巻き爪矯正用具を装着した爪を示す平面図
【図４】本発明の実施例１に係る巻き爪矯正用具を装着した爪を示す断面図
【図５】本発明の実施例２に係る巻き爪矯正用具を示す平面図
【図６】本発明の実施例２に係る巻き爪矯正用具を装着した爪を示す平面図
【図７】本発明の実施例３に係る巻き爪矯正用具を示す平面図
【図８】本発明の実施例３に係る巻き爪矯正用具を装着した爪を示す平面図
【図９】本発明の実施例４に係る巻き爪矯正用具を示す平面図
【図１０】爪を示す平面図
【図１１】本発明の実施例４に係る巻き爪矯正用具を装着した爪を示す平面図
【図１２】本発明の実施例４に係る巻き爪矯正用具を装着した爪を示す平面図
【図１３】本発明の実施例４に係る巻き爪矯正用具を装着した爪を示す断面図
【図１４】本発明の実施例１乃至４に係る巻き爪矯正用具の他の構成を示す平面図
【図１５】本発明の実施例１乃至４に係る巻き爪矯正用具の他の構成を示す平面図
【図１６】本発明の実施例１乃至４に係る巻き爪矯正用具の他の構成を示す平面図
【図１７】本発明の実施例１乃至４に係る巻き爪矯正用具の他の構成を示す平面図
【図１８】本発明の実施例１乃至４に係る巻き爪矯正用具の他の構成を示す平面図
【図１９】本発明の実施例１乃至４に係る巻き爪矯正用具の他の構成を示す平面図
【図２０】本発明の実施例１乃至４に係る巻き爪矯正用具の他の構成を示す平面図
【図２１】本発明の実施例１乃至４に係る巻き爪矯正用具の他の構成を示す平面図
【図２２】本発明の実施例１乃至４に係る巻き爪矯正用具の他の構成を示す平面図
【図２３】本発明の実施例１乃至４に係る巻き爪矯正用具の他の構成を示す平面図
【図２４】本発明の実施例１乃至４に係る巻き爪矯正用具の他の構成を示す平面図
【図２５】本発明の実施例１乃至４に係る巻き爪矯正用具の他の構成を示す平面図
【図２６】本発明の実施例５に係る巻き爪矯正用具を示す平面図
【図２７】本発明の実施例５に係る巻き爪矯正用具を示す平面図
【図２８】本発明の実施例５に係る巻き爪矯正用具を装着した爪を示す平面図
【図２９】本発明の実施例６に係る巻き爪矯正用具を示す平面図
【図３０】本発明の実施例６に係る巻き爪矯正用具を示す平面図
【図３１】本発明の実施例６に係る巻き爪矯正用具を装着した爪を示す平面図
【図３２】本発明の実施例６に係る巻き爪矯正用具を装着した爪を示す平面図
【図３３】本発明の実施例６に係る巻き爪矯正用具を示す平面図
【図３４】本発明の実施例７に係る巻き爪矯正用具を示す平面図
【図３５】本発明の実施例７に係る巻き爪矯正用具を装着した爪を示す平面図
【図３６】本発明の実施例７に係る巻き爪矯正用具を示す平面図
【図３７】本発明の他の実施例に係る巻き爪矯正用具を示す平面図
【図３８】本発明の実施例に係る巻き爪矯正用具を装着した巻き爪の状態を示す写真
【図３９】本発明の実施例に係る巻き爪矯正用具を装着した巻き爪の状態を示す写真
【図４０】本発明の実施例に係る巻き爪矯正用具を装着した巻き爪の状態を示す写真
【図４１】本発明の実施例に係る巻き爪矯正用具を装着した巻き爪の状態を示す写真
【図４２】本発明の実施例に係る巻き爪矯正用具を装着した巻き爪の状態を示す写真
【図４３】本発明の実施例に係る巻き爪矯正用具を装着した巻き爪の状態を示す写真
【図４４】本発明の実施例に係る巻き爪矯正用具を装着した巻き爪の状態を示す写真
【図４５】本発明の実施例に係る巻き爪矯正用具を装着した巻き爪の状態を示す写真
【図４６】本発明の実施例に係る巻き爪矯正用具を装着した巻き爪の状態を示す写真
【図４７】本発明の実施例に係る巻き爪矯正用具を装着した巻き爪の状態を示す写真
【図４８】本発明の実施例に係る巻き爪矯正用具を装着した巻き爪の状態を示す写真
【図４９】本発明の実施例に係る巻き爪矯正用具を装着した巻き爪の状態を示す写真
【図５０】本発明の実施例に係る巻き爪矯正用具を装着した巻き爪の状態を示す写真
【図５１】本発明の実施例に係る巻き爪矯正用具を装着した巻き爪の状態を示す写真
【図５２】本発明の実施例に係る巻き爪矯正用具を装着した巻き爪の状態を示す写真
【図５３】本発明の実施例に係る巻き爪矯正用具を装着した巻き爪の状態を示す写真
【図５４】本発明の実施例に係る巻き爪矯正用具を装着した巻き爪の状態を示す写真
【発明を実施するための形態】
【００２３】
以下、本発明の実施例について、図面を参照して詳細に説明する。
【実施例１】
【００２４】
図１に示されるように、本発明の実施例１に係る巻き爪矯正用具１０は、いずれも線状弾性材から形成される、中央部１２と、Ｕ字形状部１４と、係止部１６とを連続させて構成されている。この線状弾性材は、超弾性合金であるニッケルチタン合金（ニチノール）からなる。ここで、超弾性合金とは、回復可能な弾性歪みが数％から数十％と大きく、歪みが増加しても荷重の大きさがほぼ同じである合金のことをいう。【００２５】
中央部１２は、爪の幅方向の長さの２倍以上の長さの線状弾性材を平面又は曲面内で波形に屈曲され、平面視の外形がほぼ矩形であって、全体として弾力的に彎曲可能で爪甲に接触可能とされていて、波の数は６つとされている。【００２６】
中央部１２は、自由状態では、その波形が平面若しくは接触する爪甲５２に沿う曲面よりも平らな曲面内にあるようにされていて、これにより、その波形が爪甲５２に沿う平面又は曲面内にあるように、爪甲５２に接触可能とされている。【００２７】
Ｕ字形状部１４は、線状弾性材を略Ｕ字形状に折り曲げて形成され、中央部１２の両端と係止部１６を接続するようにされている。Ｕ字形状部１４は、巻き爪矯正用具１０を爪５０に装着して、中央部１２を構成する波形が爪甲５２に沿う平面又は曲面内にあるとき、後述する図３において一点鎖線で表される、爪５０の両側端部５６の爪甲５２側から爪床５４側に廻り込み、該両側端部に表裏から接触するようにされている。ここで、爪甲とは、爪の外部に露出している部分をいい、爪床とは、爪甲を乗せている皮膚をいう。【００２８】
係止部１６は、線状弾性材をＵ字形状部１４から連続して屈曲してなり、巻き爪矯正用具１０を爪に装着したときに、爪５０の裏側に廻り込んだＵ字形状部１４から連続していて、爪５０の幅方向両側部に爪の裏面から係止するようにされている。詳細には、係止部１６の端部１８は、爪５０の先端の爪床から剥離した部分の裏面に端部１８の少なくとも一部が接触するように屈曲され、且つ、図２に示されるように、線状弾性体の軸線に対してほぼ直角の端面１９を有している。このようにすることで、爪５０と爪床５４との間に線状弾性材の端面が入り込まず、端部１８の先端が鋭利でないため、使用者に痛みを感じさせないようにすることができる。【００２９】
巻き爪矯正用具１０の装着例を図３及び４に示す。図３は、巻き爪矯正用具１０を装着した爪５０を爪甲５２方向から見た図であり、図４は、指先方向から見た図である。図４においては、爪甲５２に沿う曲面Ａを破線で示す。巻き爪矯正用具１０を装着する際には、中央部１２を構成する波形を爪甲５２に沿う曲面Ａ内にある状態で、両端のＵ字形状部１４を、爪５０の幅方向両端の裏側に向けて彎曲するように押して、係止部１６の端部１８が爪５０の裏と接触するようにする。このような装着状態で、巻き爪矯正用具１０の押す力を解放すると、中央部１２を中心として元に戻ろうとする力（復元力）が働き、この復元力がＵ字形状部１４を通して係止部１６に伝えられ、これによって、係止部１６は爪５０の両側端部５６を図４の矢印方向に押し上げられ、このとき、端面１９が爪５０の裏面と平行に接するようにされているため、爪床５４の皮膚を傷つけることなく、爪５０に対して復元力を加えることができる。【００３０】
巻き爪矯正用具１０は、係止部１６の端面１９により爪５０を押上げるようにされているため、爪５０の先端の、爪床から剥離した部分が１ｍｍ程度あれば、装着可能である。【００３１】
巻き爪矯正用具１０を、爪５０に装着する際には、テープを巻き爪矯正用具１０の上から貼ることで、より外れにくくすることができる。
【実施例２】
【００３２】
図５に示されるように、本発明の実施例２に係る巻き爪矯正用具２０は、いずれも線状弾性材から形成される中央部２２と、Ｕ字形状部２４と、係止部２６とを連続させて構成されている。【００３３】
中央部２２は、実施例１の巻き爪矯正用具１０の中央部１２と、波の数以外は同様とされている。波の数は４つとされている。【００３４】
Ｕ字形状部２４は、実施例１の巻き爪矯正用具１０のＵ字形状部１４と同様とされている。【００３５】
係止部２６は、巻き爪矯正用具２０を爪６０に装着した状態で、爪６０の裏側に廻り込んでいるＵ字形状部２４の端部から連続して、線状弾性材を爪甲６２に沿う平面又は曲面と略平行な面内で円弧状に屈曲して形成され、爪６０の幅方向両側部に裏面から係止するようにされている。係止部２６は、爪６０の先端の、爪床から剥離した部分の裏面に円弧状面を接触させて係止するようにされていて、円弧状に屈曲されているため、圧力がかかっても、爪６０と爪床の間に係止部が入り込みにくいようにされている。係止部２６は、３ｍｍ×２ｍｍの楕円形とされている。【００３６】
巻き爪矯正用具２０の装着例を図６に示す。巻き爪矯正用具２０は、線状弾性材の先端が円弧状に屈曲して形成されているため、より均等に爪６０に対して復元力を加えることができる。
【実施例３】
【００３７】
図７に示されるように、本発明の実施例３に係る巻き爪矯正用具３０は、いずれも線状弾性材から形成される中央部３２と、Ｕ字形状部３４と、係止部３６とを連続させて構成されている。【００３８】
中央部３２は、実施例１の巻き爪矯正用具１０の中央部１２と、波の数以外は同様とされている。波の数は５つとされている。【００３９】
Ｕ字形状部３４は、実施例１の巻き爪矯正用具１０のＵ字形状部１４と同様に、線状弾性材を略Ｕ字形状に折り曲げて形成され、中央部３２の両端と係止部３６を接続するようにされている。Ｕ字形状部３４は、巻き爪矯正用具３０を爪７０に装着して、中央部３２を構成する波形が爪７０の爪甲７２に沿う平面又は曲面内にあるとき、爪７０の先端部の表側から裏側に廻り込み、該先端部に表裏から接触するようにされている。【００４０】
係止部３６は、巻き爪矯正用具３０を爪７０に装着した状態で、爪７０の裏側に廻り込んでいるＵ字形状部３４の端部から連続して、線状弾性材を爪甲に沿う平面又は曲面と略平行な面内で円弧状に屈曲して形成され、爪７０の先端部５８の、爪床から剥離した部分の裏面に円弧状面を接触させて係止するようにされている。また、係止部３６は円弧状に屈曲されているため、圧力がかかっても、爪７０と爪床の間に係止部が入り込みにくいようにされている。【００４１】
巻き爪矯正用具３０の装着例を図８に示す。巻き爪矯正用具３０と、実施例２の巻き爪矯正用具２０とを比較すると、爪に対するＵ字形状部の位置が異なるようにされている。巻き爪矯正用具３０は、図８において一点鎖線で表される、爪７０の先端部５８に固定するようにされているため、幅方向の長さの調整が容易となる。
【実施例４】
【００４２】
図７に示されるように、本発明の実施例４に係る巻き爪矯正用具４０は、線状弾性材から形成される中央部４２と、接着部４４から構成される。【００４３】
中央部４２は、実施例２の巻き爪矯正用具２０の中央部２２と同様とされている。【００４４】
接着部４４は、熱可塑性のプラスチック材料から形成され、図１０に示される爪８０の爪甲８２に直接又は接着剤を介して接着するようにされている。接着部４４は、中央部４２を構成する線状弾性材の端部を内包して固定するようにされている。この熱可塑性プラスチック材料は、６５℃以上で軟化し、６５℃未満で硬化するようにされている。したがって、容易に接着部４４の形を調整することができる。接着部４４を爪甲８２に接着する際は、接着部４４が軟化した状態の方がより強く接着することができ、接着部４４を爪甲８２から剥離する際も、接着部４４が軟化した状態の方が、より容易に剥離することができる。【００４５】
巻き爪矯正用具４０は、爪８０の先端の、爪床８４から剥離した部分が少ない場合や、爪床８４が見える程度まで爪８０の幅方向両側端部の先端が切り込まれていて、巻き爪矯正用具１０、２０又は３０を使用できない場合にも使用することができる。【００４６】
巻き爪矯正用具４０の装着例を図１１及び図１２に示す。また、図１２のＢ−Ｂ線での断面図を図１３に示す。図１３に示されるように、接着部４４を爪甲８２と爪床８４の間にも形成することによって、陥入爪である爪８０の爪床８４への食い込みによる痛みを軽減することができる。【００４７】
巻き爪矯正用具４０では、爪甲８２に接着されるのは接着部４４のみであり、中央部４２は接着されない。従って、接着剤そのものの硬化によって爪の矯正が阻害されることはない。【００４８】
巻き爪矯正用具４０は、実施例１乃至３の巻き爪矯正用具１０乃至３０とは異なり、爪甲８２側のみから爪８０に対して引き上げる方向に復元力を加えるようにされている。巻き爪矯正用具４０を爪に装着する際は、接着部４４に熱を加えて軟化させて、爪甲８２に沿った形状に変形させて、接着するようにされている。【００４９】
巻き爪矯正用具４０の接着部４４は、熱可塑性プラスチック材料から形成されているため、加熱により爪甲８２及び爪床８４に沿った形に変形させることができ、巻き爪矯正用具４０の爪甲８２への接着性を向上させることができる。【００５０】
また、接着部４４の熱可塑性プラスチック材料は、交換することもでき、接着部４４の接着性を一定以上に保つことができる。【００５１】
なお、中央部の波の数は限定されないが、４つ以上とすることによって、巻き爪矯正用具の弾力性を長期間維持することができる。巻き爪矯正用具は、この弾力性によって、長時間にわたり巻き爪を矯正する方向に力をかけることができる。波の数の上限は特にないが、爪に装着するという性質上、１０個程度までとするのが現実的である。中央部の波の振幅方向の長さは限定されないが、３〜４ｍｍ程度とするとより効果的である。【００５２】
また、中央部の波は一部、例えば両端だけに形成されるようにしてもよく、片方の端のみ、両端の間のみに形成されるようにしてもよい。また、波の波長、振幅も一定でなくてもよい。中央部の中央が略直線とされた巻き爪矯正用具１０Ａを図１４に示す。巻き爪矯正用具１０Ａは、中央部以外は、実施例１の巻き爪矯正用具１０と同様の構成とされている。このようにすることで、巻き爪矯正用具１０Ａの長軸方向に伸縮性を持たすことができ、長軸方向に引っ張りながら爪に装着することで、より安定して巻き爪矯正用具１０Ａを爪に固定することができる。なお、このような効果は、中央部の中央を曲率の小さい曲線となるようにしても得ることができる。【００５３】
また、このようにすることで、両側部のみが強く彎曲しているような巻き爪を矯正するのにより適した形にすることができる。【００５４】
同様に、実施例２の巻き爪矯正用具２０と中央部以外は同様の構成とされた巻き爪矯正用具２０Ａを図１５に、実施例３の巻き爪矯正用具３０と中央部以外は同様の構成とされた巻き爪矯正用具３０Ａを図１６に、実施例４の巻き爪矯正用具４０と中央部以外は同様の構成とされた巻き爪矯正用具４０Ａを図１７に示す。【００５５】
さらに、中央部の波が１つとされていてもよい。中央部の波が１つとされた巻き爪矯正用具１０Ｂを図１８に示す。巻き爪矯正用具１０Ｂは、中央部以外は、実施例１の巻き爪矯正用具１０と同様の構成とされている。【００５６】
同様に、実施例２の巻き爪矯正用具２０と中央部以外は同様の構成とされた巻き爪矯正用具２０Ｂを図１９に、実施例３の巻き爪矯正用具３０と中央部以外は同様の構成とされた巻き爪矯正用具３０Ｂを図２０に、実施例４の巻き爪矯正用具４０と中央部以外は同様の構成とされた巻き爪矯正用具４０Ｂを図２１に示す。
【実施例５】
【００５７】
図２６に示されるように、本発明の実施例５に係る巻き爪矯正用具９０Ａは、線状弾性材から形成される中央部９２と、Ｕ字形状部９４Ａ、９４Ｂと、係止部９６Ａ、９６Ｂとを連続させて構成されている。【００５８】
中央部９２、Ｕ字形状部９４Ａ、係止部９６Ａは、それぞれ実施例１の巻き爪矯正用具１０の中央部１２、Ｕ字形状部１４、係止部１６と同様とされ、Ｕ字形状部９４Ｂは、実施例３の巻き爪矯正用具３０のＵ字形状部３４と同様とされている。【００５９】
係止部９６Ｂは、実施例１の巻き爪矯正用具１０の係止部と同様とされ、爪１００の先端部に爪１００の裏面から係止するようにされている。【００６０】
図２７に示される巻き爪矯正用具９０Ｂは、巻き爪矯正用具９０Ａの左右を反転させたものである。【００６１】
巻き爪矯正用具９０Ａの装着例を図２８に示す。巻き爪矯正用具９０Ａは、爪の幅方向の長さに厳密にあわせる必要がないので、幅方向の長さの調整が容易となる。
【実施例６】
【００６２】
図２９に示されるように、本発明の実施例６に係る巻き爪矯正用具１１０Ａは、線状弾性材から形成される中央部１１２の一方の端部と、Ｕ字形状部１１４と、係止部１１６とを連続させて、また、中央部１１２のもう一方の端部に形成された接着部１１８Ａとから構成されている。【００６３】
中央部１１２、Ｕ字形状部１１４、係止部１１６は、それぞれ実施例１の巻き爪矯正用具１０の中央部１２、Ｕ字形状部１４、係止部１６と同様とされ、接着部１１８Ａは、実施例４の巻き爪矯正用具４０の接着部４４と同様とされている。【００６４】
図３０に示される巻き爪矯正用具１１０Ｂは、巻き爪矯正用具１１０Ａの左右を反転させたものである。【００６５】
巻き爪矯正用具１１０Ａの装着例を図３１に、巻き爪矯正用具１１０Ａ及び１１０Ｂの装着例を図３２に示す。巻き爪矯正用具１１０Ａ及び１１０Ｂは、それぞれ、接着部１１８Ａ、接着部１１８Ｂを爪１２０の爪甲１２２に接着可能とされているため、変形の強い巻き爪の矯正に適している。【００６６】
図３３に示されるように、巻き爪矯正用具１１０Ａ及び１１０Ｂを組み合わせて、巻き爪矯正用具１１０Ａを巻き爪矯正用具１１０Ｂの接着部１１８Ｂで固定し、巻き爪矯正用具１１０Ｂを巻き爪矯正用具１１０Ａの接着部１１８Ａで固定することで、１つの巻き爪矯正用具とすることも可能である。
【実施例７】
【００６７】
図３４に示されるように、本発明の実施例７に係る巻き爪矯正用具１３０は、線状弾性材から形成される中央部１３２と、Ｕ字形状部１３４と、係止部１３６とを連続させて構成されている。【００６８】
中央部１３２は、平面又は曲面内で８つのループ形状を有するように屈曲され、平面視の外形がほぼ矩形であって、全体として弾力的に彎曲可能で爪甲に接触可能とされている。【００６９】
Ｕ字形状部１３４及び係止部１３６は、それぞれ実施例１の巻き爪矯正用具１０のＵ字形状部１４、係止部１６と同様とされている。【００７０】
巻き爪矯正用具１３０の装着例を図３５に示す。巻き爪矯正用具１３０は、幅方向の長さが短くても、十分な弾力性を実現することができるため、特に親指以外の指の巻き爪に対して有用である。
【実施例８】
【００７１】
本発明の実施例８に係る巻き爪矯正用具は、実施例１に係る巻き爪矯正用具１０と形状は同様であるが、中央部と、Ｕ字形状部と、係止部とを形成する線状弾性材は、超弾性樹脂であるポリフェニールサルフォンからなる。ここで、超弾性樹脂とは、回復可能な弾性歪みが数％から数十％と大きく、歪みが増加しても荷重の大きさがほぼ同じである樹脂のことをいう。【００７２】
本発明の実施例１乃至６の巻き爪矯正用具では、中央部の少なくとも一部を波形形状としているため、爪甲に対して垂直方向の弾力性が大きく爪への装着がしやすい。さらに、安定して爪に固定することができ、装着感もよい。また、超弾性合金からなる線状弾性材を用いることで、適度な復元力を実現することができ、爪に負荷がかからず、爪及び爪床を傷つけにくい。【００７３】
なお、中央部を直線形状とした場合は、爪の両側端部にかかる力が大きくなり、装着がしにくく、また、爪が痛んでしまうこととなるため、本発明の巻き爪矯正用具の中央部は直線形状とすることができない。【００７４】
また、中央部は少なくとも一部を弾性材料により内包されるようにしてもよい。このようにすることで、巻き爪矯正用具の装着感をさらに向上させることができる。中央部が弾性材料６２Ａにより内包された巻き爪矯正用具１０Ｃを図２２に示す。巻き爪矯正用具１０Ｃは、中央部以外は、実施例１の巻き爪矯正用具１０と同様の構成とされている。【００７５】
同様に、実施例２の巻き爪矯正用具２０と、弾性材料６２Ｂにより内包された中央部以外は同様の構成とされた巻き爪矯正用具２０Ｃを図２３に、実施例３の巻き爪矯正用具３０と、弾性材料６２Ｃにより内包された中央部以外は同様の構成とされた巻き爪矯正用具３０Ｃを図２４に、実施例４の巻き爪矯正用具４０と、弾性材料６２Ｄにより内包された中央部以外は同様の構成とされた巻き爪矯正用具４０Ｃを図２５に示す。弾性材料としては、プラスチック材料、シリコーン樹脂やシリコーンゴム等の高分子材料などを用いることができる。【００７６】
Ｕ字形状部は、爪の厚さと同じ若しくは爪の厚さよりも大きくされている。【００７７】
係止部の大きさは限定されないが、爪及び爪床を傷つけず、かつ、安定して爪を係止できる大きさとするとより効果的である。【００７８】
本発明の実施例によれば、形状記憶合金を用いた陥入爪矯正具等のような温度の調整が不要であり、単に爪に装着するだけでよいため、手軽に個人で巻き爪を矯正することができる。【００７９】
なお、本発明の巻き爪矯正用具を構成する線状弾性材は、ニチノール以外の超弾性合金、例えば、Ｃｕ−Ｍｎ−Ａｌ合金等の銅系合金、Ｆｅ−Ａｌ系合金、Ｔｉ−Ｎｂ−Ａｌ系合金等で形成するようにしてもよい。また、ポリフェニールサルフォン以外の超弾性樹脂、例えば、天然ゴム、合成ゴム、ポリイソプレン、スチレン・ブタジエン共重合体、ポリエチレン、塩素化ポリエチレン、フッ素樹脂、ポリアクリル酸エステル、ポリメタクリル酸エステル、ポリシロキサン、ケイ素樹脂、ポリ塩化ビニル、ポリウレタン、ポリイミド、ポリアミド、ポリシラン等で形成するようにしてもよい。【００８０】
さらに、超弾性合金、超弾性樹脂以外の材料で形成するようにしてもよいし、超弾性合金、超弾性樹脂及びこれら以外の材料を適宜組み合わせて形成するようにしてもよい。【００８１】
実施例４の巻き爪矯正用具４０の接着部４４は、熱可塑性のプラスチック材料に限定されず、他の熱可塑性樹脂材料であってもよい。また、熱可塑性樹脂材料以外の材料で、接着性の材料を用いてもよいし、接着性のない材料を用いて、接着剤によって爪甲に接着させるものであってもよい。また、爪床には接触せずに、爪甲のみに接着するようにしてもよい。【００８２】
本発明の実施例の巻き爪矯正用具に用いられる線状弾性材の太さは限定されないが、０．５ｍｍ乃至０．８ｍｍのものを用いると十分な効果を得ることができる。０．５ｍｍよりも細い場合は、十分な復元力が得られず、巻き爪を矯正することができない可能性がある。０．８ｍｍよりも大きい場合は、復元力が大きすぎ、爪にかかる負担が大きすぎる可能性がある。【００８３】
波の数を３つとする場合は、０．５ｍｍ又は０．６ｍｍのものを用いて、中央部の波の振幅方向の長さは６ｍｍ程度とするとよい。また、波の数を２つとする場合は、０．５ｍｍのものを用いて、中央部の波の振幅方向の長さは８ｍｍ程度とするとよい。【００８４】
また、係止部が爪の裏面に接触する位置は、爪の幅方向両側部及び先端部の少なくとも一方にあればよい。これら２つの重なる所、即ち、爪の角にあたる位置に接触するようにしてもよい。【００８５】
実施例２の巻き爪矯正用具２０の係止部２６及び実施例３の巻き爪矯正用具３０の係止部３６は、爪甲に沿う平面又は曲面と略平行な面内以外の面内で円弧状に屈曲されてもよい。即ち、爪の先端の、爪床から剥離した部分の裏面に円弧状面以外、例えば、円弧状面の側面部分を接触させて係止するようにされてもよい。【００８６】
なお、実施例７の巻き爪矯正用具１３０のループ形状は８つとされているが、本発明の巻き爪矯正用具は、少なくとも１つのループ形状を有していればよい。例えば、図３６に示すように、６つのループ形状を有する巻き爪矯正用具１５０としてもよい。【００８７】
本発明の実施例に係る巻き爪矯正用具は、巻き爪の矯正のみならず、爪が変形することを防止するためにも用いることができる。【００８８】
また、本発明の巻き爪矯正用具の中央部は、実施例のような波形形状、ループ形状以外の他の形状としてもよい。例えば、図３７に示すような、波形形状とループ形状を組み合わせた形状の巻き爪矯正用具１６０とすることもできる。【００８９】
本発明の巻き爪矯正用具を使用する際には、装着する爪の形によって、実施例１乃至７に示されるような種々の形態の中から最適なものを選択することができる。【００９０】
本発明の実施例に係る巻き爪矯正用具を用いて、実際に巻き爪を矯正する様子を図３８乃至図５４に示す。【００９１】
図３８は、上から順に、装着前、実施例２の巻き爪矯正用具２０を装着した初日、装着して２２日目の巻き爪の状態を表す。図３９は、上から順に、装着前、実施例１の巻き爪矯正用具１０を装着した初日、装着して１４日目の巻き爪の状態を表す。図４０は、上から順に、装着前、実施例２の巻き爪矯正用具２０を装着した初日、装着して１２日目の巻き爪の状態を表す。図４１は、上から順に、装着前、実施例１の巻き爪矯正用具１０を装着した初日、装着して３８日目の巻き爪の状態を表す。図４２は、図４１と同様にした他の巻き爪の状態を表す。図４３は、上から順に、装着前、実施例５の巻き爪矯正用具９０Ａを装着した初日、装着して１４日目の巻き爪の状態を表す。図４４は、上から順に、装着前、実施例２の巻き爪矯正装用具２０を装着した初日、装着して８３日目の巻き爪の状態を表す。図４５は、図４４と同様にした他の巻き爪の状態を表す。図４６は、上から順に、装着前、実施例３の巻き爪矯正用具３０を装着した初日、装着して３日目に巻き爪矯正用具３０を外し、実施例１の巻き爪矯正用具１０を装着した巻き爪の状態を表す。図４７は、上から順に、装着前、実施例１の巻き爪矯正用具１０を装着した初日、装着して２日目の巻き爪の状態を表す。図４８は、上から順に、装着前、実施例５の巻き爪矯正用具９０Ａ、９０Ｂを装着した初日、装着して２日目に巻き爪矯正用具９０Ａ、９０Ｂを外し、実施例１の巻き爪矯正用具１０を装着した巻き爪の状態を表す。図４９は、上から順に、装着前、実施例１の巻き爪矯正用具１０を装着した初日、装着して１４日目の巻き爪の状態を表す。【００９２】
図３８乃至図４９の全てにおいて、巻き爪矯正用具によって巻き爪が矯正されていることが分かる。また、時間が経過しても、巻き爪矯正用具の弾力性が維持されていることが分かる。なお、１つの巻き爪を矯正する際に、図３２又は図３４のように、複数の種類の巻き爪矯正用具を使用するようにしてもよい。複数の種類の巻き爪矯正用具を使用した例を図５０乃至図５２に示す。【００９３】
図５０は、上から順に、装着前、実施例４の巻き爪矯正用具４０を装着した初日、装着して３２日目に巻き爪矯正用具４０を外し、実施例１の巻き爪矯正用具１０を装着したとき、巻き爪矯正用具４０を装着してから９０日目、１０４日目の巻き爪の状態を表す。図５１は、上から順に、装着前、実施例４の巻き爪矯正用具４０を装着した初日、装着して２０日目に巻き爪矯正用具４０を外し、実施例５の巻き爪矯正用具９０Ｂを装着したとき、巻き爪矯正用具４０を装着してから２７日目に、巻き爪矯正用具９０Ｂを外し、実施例１の巻き爪矯正用具１０を装着したとき、巻き爪矯正用具４０を装着してから４８日目の巻き爪の状態を表す。図５２は、図５１と同様にした他の巻き爪の状態を表す。【００９４】
図５３及び図５４には、従来の巻き爪矯正用具では矯正することができないような小さな巻き爪を矯正する様子を表す。【００９５】
図５３は上から順に、装着前、実施例４の巻き爪矯正用具４０を装着した初日、装着して２５日目に巻き爪矯正装置４０を外し、実施例５の巻き爪矯正用具９０Ａを装着したとき、巻き爪矯正用具４０を装着してから８７日目に巻き爪矯正用具９０Ａを外し、実施例７の巻き爪矯正用具１５０を装着したときの巻き爪の状態を表す。図５４は、上から順に、装着前、実施例３の巻き爪矯正用具３０を装着した初日、装着して９日目、装着して７０日目に巻き爪矯正用具３０を外した巻き爪の状態を表す。【００９６】
図５３及び図５４に示されるように、本発明の実施例に係る巻き爪矯正用具によれば、従来の巻き爪矯正用具では矯正することができないような小さな巻き爪を矯正することが可能となる。
【産業上の利用可能性】
【００９７】
本発明の巻き爪矯正用具は、手軽に装着でき、さらに、痛みを伴わないため、様々な形の巻き爪に広く適用することができる。
【符号の説明】
【００９８】
１０、１０Ａ、１０Ｂ、１０Ｃ、２０、２０Ａ、２０Ｂ、２０Ｃ、３０、３０Ａ、３０Ｂ、３０Ｃ、４０、４０Ａ、４０Ｂ、４０Ｃ、９０Ａ、９０Ｂ、１１０Ａ、１１０Ｂ、１３０、１５０、１６０…巻き爪矯正用具
１２、２２、３２、４２、９２、１１２、１３２…中央部
１４、２４、３４、９４Ａ、９４Ｂ、１１４、１３４…Ｕ字形状部
１６、２６、３６、９６Ａ、９６Ｂ、１１６、１３６…係止部
１８…端部
４４、１１８Ａ、１１８Ｂ…接着部
５０、６０、７０、８０、１００、１２０…爪
５２、６２、７２、８２、１２２…爪甲
５４、８４…爪床
５６…両側端部
５８…先端部
６２Ａ、６２Ｂ、６２Ｃ、６２Ｄ…弾性材料
【図１】
2010101238.tif 000003
【図２】
2010101238.tif 000004
【図３】
2010101238.tif 000005
【図４】
2010101238.tif 000006
【図５】
2010101238.tif 000007
【図６】
2010101238.tif 000008
【図７】
2010101238.tif 000009
【図８】
2010101238.tif 000010
【図９】
2010101238.tif 000011
【図１０】
2010101238.tif 000012
【図１１】
2010101238.tif 000013
【図１２】
2010101238.tif 000014
【図１３】
2010101238.tif 000015
【図１４】
2010101238.tif 000016
【図１５】
2010101238.tif 000017
【図１６】
2010101238.tif 000018
【図１７】
2010101238.tif 000019
【図１８】
2010101238.tif 000020
【図１９】
2010101238.tif 000021
【図２０】
2010101238.tif 000022
【図２１】
2010101238.tif 000023
【図２２】
2010101238.tif 000024
【図２３】
2010101238.tif 000025
【図２４】
2010101238.tif 000026
【図２５】
2010101238.tif 000027
【図２６】
2010101238.tif 000028
【図２７】
2010101238.tif 000029
【図２８】
2010101238.tif 000030
【図２９】
2010101238.tif 000031
【図３０】
2010101238.tif 000032
【図３１】
2010101238.tif 000033
【図３２】
2010101238.tif 000034
【図３３】
2010101238.tif 000035
【図３４】
2010101238.tif 000036
【図３５】
2010101238.tif 000037
【図３６】
2010101238.tif 000038
【図３７】
2010101238.tif 000039
【図３８】
2010101238.tif 000040
【図３９】
2010101238.tif 000041
【図４０】
2010101238.tif 000042
【図４１】
2010101238.tif 000043
【図４２】
2010101238.tif 000044
【図４３】
2010101238.tif 000045
【図４４】
2010101238.tif 000046
【図４５】
2010101238.tif 000047
【図４６】
2010101238.tif 000048
【図４７】
2010101238.tif 000049
【図４８】
2010101238.tif 000050
【図４９】
2010101238.tif 000051
【図５０】
2010101238.tif 000052
【図５１】
2010101238.tif 000053
【図５２】
2010101238.tif 000054
【図５３】
2010101238.tif 000055
【図５４】
2010101238.tif 000056
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
爪甲に接触可能な中央部と、この中央部に接続され、爪の幅方向側部及び先端部の少なくとも一方に爪の裏面から係止するための係止部とを有する巻き爪矯正用具であって、
前記中央部は、平面又は曲面内で少なくとも一部を波形に屈折されている線状弾性材からなり、その少なくとも一方の端部は、Ｕ字形状部を介して前記係止部に接続され、
前記係止部は、前記線状弾性材の端部の少なくとも一部を爪の裏面に接触させて係止するようにされていることを特徴とする巻き爪矯正用具。
【請求項２】
爪甲に接触可能な中央部と、この中央部に接続され、爪の幅方向側部及び先端部の少なくとも一方に爪の裏面から係止するための係止部とを有する巻き爪矯正用具であって、
前記中央部は、平面又は曲面内で少なくとも一部を波形に屈折されている線状弾性材からなり、その少なくとも一方の端部は、Ｕ字形状部を介して前記係止部に接続され、
前記係止部は、円弧状に屈曲された前記線状弾性材からなり、前記中央部が前記爪甲に接触した際に、爪の裏面に接触するようにされていることを特徴とする巻き爪矯正用具。
【請求項３】
爪甲に接触可能な中央部と、この中央部に接続され、爪の幅方向側部及び先端部のいずれかに爪の裏面から係止するための係止部と、爪甲に接着可能な接着部とを有する巻き爪矯正用具であって、
前記中央部は一方の端部を前記接着部により内包して固定された、平面又は曲面内で少なくとも一部を波形に屈折されている線状弾性材からなり、もう一方の端部は、Ｕ字形状部を介して前記係止部に接続され、
前記係止部は、前記線状弾性材の端面を爪の裏面に接触させて係止するようにされていることを特徴とする巻き爪矯正用具。
【請求項４】
爪甲に接触可能な中央部と、この中央部に接続され、爪の幅方向側部及び先端部のいずれかに爪の表面から係止するための係止部と、爪甲に接着可能な接着部とを有する巻き爪矯正用具であって、
前記中央部は一方の端部を前記接着部により内包して固定された、平面又は曲面内で少なくとも一部を波形に屈折されている線状弾性材からなり、もう一方の端部は、Ｕ字形状部を介して前記係止部に接続され、
前記係止部は、円弧状に屈曲された前記線状弾性材からなり、前記中央部が前記爪甲に接触した際に、爪の裏面に接触するようにされていることを特徴とする巻き爪矯正用具。
【請求項５】
爪甲に接触可能な中央部と、爪甲に接着可能な接着部とを有する巻き爪矯正用具であって、
前記中央部は、両端部を前記接着部により内包して固定され、平面又は曲面内で少なくとも一部を波形に屈折されている線状弾性材からなり、
前記接着部は、爪甲に接着可能とされていることを特徴とする巻き爪矯正用具。
【請求項６】
請求項１乃至５のいずれかにおいて、
前記線状弾性材は、超弾性合金及び／又は超弾性樹脂により形成されてなることを特徴とする巻き爪矯正用具。
【請求項７】
請求項１乃至５のいずれかにおいて、
前記中央部は、前記爪の幅方向の長さの２倍以上の長さの前記線状弾性材からなることを特徴とする巻き爪矯正用具。
【請求項８】
請求項６において、
前記中央部は、前記爪の幅方向の長さの２倍以上の長さの前記線状弾性材からなることを特徴とする巻き爪矯正用具。
【請求項９】
（削除）
【請求項１０】
（削除）
【請求項１１】
（削除）
【請求項１２】
（削除）
【請求項１３】
請求項１乃至５のいずれかにおいて、
前記中央部は、少なくとも１つのループ形状を有することを特徴とする巻き爪矯正用具。
【請求項１４】
請求項６において、
前記中央部は、少なくとも１つのループ形状を有することを特徴とする巻き爪矯正用具。
【請求項１５】
請求項１乃至４のいずれかにおいて、
前記Ｕ字形状部は前記爪の先端部に表裏から接触するようにされていることを特徴とする巻き爪矯正用具。
【請求項１６】
請求項６において、
前記Ｕ字形状部は前記爪の先端部に表裏から接触するようにされていることを特徴とする巻き爪矯正用具。
【請求項１７】
請求項３乃至５のいずれかにおいて、
前記接着部は、熱可塑性樹脂から形成されることを特徴とする巻き爪矯正用具。
【請求項１８】
請求項６において、
前記接着部は、熱可塑性樹脂から形成されることを特徴とする巻き爪矯正用具。
【請求項１９】
請求項１乃至５のいずれかにおいて、
前記中央部は、少なくとも一部を弾性材料により内包されていることを特徴とする巻き爪矯正用具。
【請求項２０】
請求項６において、
前記中央部は、少なくとも一部を弾性材料により内包されていることを特徴とする巻き爪矯正用具。
【国際調査報告】
2010101238.tif 000057
2010101238.tif 000058
2010101238.tif 000059
2010101238.tif 000060
2010101238.tif 000061
2010101238.tif 000062
2010101238.tif 000063